(57)【要約】【課題】視聴者がスクリーンから放出される音声をよりバランスのとれた音声として聞くことができるようにすること。【解決手段】投影機にて映像を投射するスクリーン１２と、スクリーン１２を駆動する駆動体５０と、を有し、スクリーン１２から音を放出するスクリーンスピーカシステム１０において、駆動体５０は、スクリーン１２の上下方向に少なくともと２つ以上配置されており、上下方向に配置された駆動体５０に入力される音響信号の出力を変化させる出力ボリューム８８を備えた。【選択図】図５
2007184795.tif 000002
【特許請求の範囲】
【請求項１】
投影機にて映像を投射するスクリーンと、上記スクリーンを駆動する駆動体と、を有し、上記スクリーンから音を放出するスクリーンスピーカシステムにおいて、
上記駆動体は、上記スクリーンの上下方向に少なくともと２つ以上配置されており、上下方向に配置された上記駆動体に入力される音響信号の出力を変化させる出力ボリュームを備えることを特徴とするスクリーンスピーカシステム。
【請求項２】
前記スクリーンスピーカシステムは、前記スクリーンと、前記駆動体のうちの一部から構成されるスクリーンスピーカを１つのユニットとし、当該スクリーンスピーカを複数接合して構成されていることを特徴とする請求項１記載のスクリーンスピーカシステム。
【請求項３】
前記スクリーンには、複数に分割される領域となる分割領域が形成されており、当該分割領域毎にチャンネルが割り当てられると共に、上記チャンネル毎に前記音響信号を増幅するプリアンプと、上記プリアンプから出力される上記チャンネル毎の前記音響信号を増幅するパワーアンプとを備え、上記プリアンプからの出力後の前記音響信号の出力を変化させることを特徴とする請求項１または２記載のスクリーンスピーカシステム。
【請求項４】
前記スクリーンには、複数に分割される領域となる分割領域が形成されており、当該分割領域毎にチャンネルが割り当てられると共に、上記チャンネル毎に前記音響信号を増幅するプリアンプと、上記プリアンプから出力される上記チャンネル毎の前記音響信号を増幅するパワーアンプとを備え、前記出力ボリュームは、上記パワーアンプに入力される前の前記音響信号の出力を変化させることを特徴とする請求項１または２記載のスクリーンスピーカシステム。
【発明の詳細な説明】
【技術分野】
【０００１】
本発明は、外部から投射された映像を映し出すスクリーンから音を放出するスクリーンスピーカシステムに関する。
【背景技術】
【０００２】
従来から、スクリーンの中央に配置されるボイスコイルにセンタースピーカ用の信号を加え、その左右に配置されるボイスコイルに左右チャンネル用の信号を加えて、スクリーンの前方より音を放出させる直接駆動型スクリーンスピーカシステムが存在する。このようなタイプのスクリーンスピーカシステムとしては、例えば、特許文献１に開示されているものが知られている。
【０００３】
【特許文献１】特開２００５−６４９３２号公報（図２１〜図２３）
【発明の開示】
【発明が解決しようとする課題】
【０００４】
近年、より迫力ある映像と音響を提供するために、ホームシアターシステムにおいて、当該映像を映し出すためのスクリーンの大型化が要求されており、上述の直接駆動型スクリーンスピーカシステムにおいても更なる画面の大型化が要求される。
【０００５】
しかしながら、特許文献１記載のスクリーンスピーカシステムの場合、スクリーンの大型化は、スクリーンの材料となるアルミニウム薄板の外形寸法に規制される。例えば、現在市販されているアルミニウム板の外形の最大寸法は、２５００ｍｍ（長さ）×１２５０ｍｍ（幅）である。そのため、特許文献１記載のスクリーンスピーカシステムの構造では、上記外形寸法以上のものは望めない。
【０００６】
本発明者は、かかる問題を解決するために、特許文献１に記載されるスクリーンスピーカを複数台用意して、これらを接合することによって、より大型の画面を備えるスクリーンスピーカシステムを製造した。
【０００７】
しかし、このような大型画面を有するスクリーンスピーカのスクリーン全面より音を放出させる場合、スクリーンに正対した視聴者に対して、スクリーンの上下の音圧バランスをより良好にすることが求められている。
【０００８】
本発明は上記の事情にもとづきなされたもので、その目的とするところは、視聴者がスクリーンから放出される音声をよりバランスのとれた音声として聞くことが可能なスクリーンスピーカシステムを提供しようとするものである。
【課題を解決するための手段】
【０００９】
上記課題を解決するために、本発明は、投影機にて映像を投射するスクリーンと、スクリーンを駆動する駆動体と、を有し、スクリーンから音を放出するスクリーンスピーカシステムにおいて、駆動体は、スクリーンの上下方向に少なくともと２つ以上配置されており、上下方向に配置された駆動体に入力される音響信号の出力を変化させる出力ボリュームを備えるものである。
【００１０】
また、他の発明は、上述の発明に加えて更に、スクリーンスピーカシステムは、スクリーンと、駆動体のうちの一部から構成されるスクリーンスピーカを１つのユニットとし、当該スクリーンスピーカを複数接合して構成されているものである。
【００１１】
また、他の発明は、上述の発明に加えて更に、スクリーンには、複数に分割される領域となる分割領域が形成されており、当該分割領域毎にチャンネルが割り当てられると共に、チャンネル毎に音響信号を増幅するプリアンプと、プリアンプから出力されるチャンネル毎の音響信号を増幅するパワーアンプとを備え、プリアンプからの出力後の音響信号の出力を変化させるものである。
【００１２】
さらに、他の発明は、上述の発明に加えて更に、スクリーンには、複数に分割される領域となる分割領域が形成されており、当該分割領域毎にチャンネルが割り当てられると共に、チャンネル毎に音響信号を増幅するプリアンプと、プリアンプから出力されるチャンネル毎の音響信号を増幅するパワーアンプとを備え、出力ボリュームは、パワーアンプに入力される前の音響信号の出力を変化させるものである。
【発明の効果】
【００１３】
本発明によると、視聴者がスクリーンから放出される音声をよりバランスのとれた音声として聞くことができる。
【発明を実施するための最良の形態】
【００１４】
以下、本発明の一実施の形態に係るスクリーンスピーカシステム１０について、図面を参照しながら説明する。スクリーンスピーカシステム１０は、１つのユニットとなるスクリーンスピーカ１１を４台接合することにより構成される。まず、スクリーンスピーカ１１の構成について説明する。
【００１５】
図１は、スクリーンスピーカ１１を示す斜視図であり、図２は、スクリーンスピーカ１１からスクリーン１２を取り除いた状態を示す斜視図である。なお、以下の説明では、図１および図２において、一端側とは矢示Ｘ１方向を指し、他端側とは矢示Ｘ２方向を指すものとする。また、本実施の形態では、スクリーン１２を駆動させるための駆動体の一例としては、磁気回路３０とボイスコイル（不図示）とを有する駆動体が採用されており、また、ハウジングとしては磁気回路３０を保持するための磁気回路ハウジング４０が採用されている。
【００１６】
スクリーンスピーカ１１は、直接駆動型のスクリーンスピーカであり、図１および図２に示すように、外部からの映像を映し出すスクリーン１２と、スクリーン１２を保持する筐体１４と、スクリーン１２を振動させる駆動体と、から主に構成されている。
【００１７】
筐体１４は、図２に示すように、３つの領域に分割された３枚の裏板１５と、当該３枚の裏板１５を囲う枠体１６と、から構成されている。裏板１５は、長方形の形状をした板状部材であり、ラワンを芯材とし、その表面にシナを重ね合わせた厚さ４ｍｍの合板となっており、さらにその表面には厚さ１ｍｍのアルミニウム板が接着されている。また、枠体１６は、長方形の形状をした枠部材となる側枠１７と、その側枠１７の内側に長方形の短手方向に沿って配置される２つの中桟１８とから構成されている。側枠１７および中桟１８は、アッシュ材を任意の厚さに削りだして３枚積層させた合板からなっている。裏板１５は、枠体１６の複数の箇所にネジ止めすることによって取り付けられている。
【００１８】
中桟１８は、上述したように、側枠１７の内側に短手方向に向かって２本配置され、側枠１７の内側の領域を長手方向に沿って等間隔に３分割している。また、中桟１８の長手方向に向かう両端の端面は、共に長手側枠１７の内側の側面に接着剤により接合されており、枠体１６の強度を向上させる役割を果たしている（図２参照）。なお、スクリーン１２は、筐体１４の上方から当該筐体１４を塞ぐ形で取り付けられる。
【００１９】
さらに、図２に示すように、筐体１４において２つの中桟１８により３つの等しい体積に分割された分割部１４ａのそれぞれに、磁気回路３０が配置されると共に、この磁気回路３０を保持するための磁気回路ハウジング４０が配置されている。磁気回路３０は、磁気回路ハウジング４０の裏側から裏板１５の中央に設けられた不図示の孔を通して磁気回路ハウジング４０の内部に配置される。また、スクリーン１２の裏面には、磁気回路ハウジング４０の位置と対応するように、３つのボイスコイル（不図示）が配置されている。ボイスコイル（不図示）は、スクリーン１２を駆動させる駆動体の一部を構成するもので、所定の寸法のコイルボビンに、コイル線を巻きつけることにより形成されている。
【００２０】
また、図２において各裏板１５における上方の端面の近傍には、裏板１５における一端側と他端側方向の中心を通り、短手方向に向かう中心線に対して左右対称となるように２つの端子用孔１５ｑが設けられている。当該端子用孔１５ｑは、ボイスコイル（不図示）に電圧を付加するための入力端子用基板（不図示）を配置するための孔である。
【００２１】
また、裏板１５に形成された２つの端子用孔１５ｑのそれぞれに入力端子基板が装着（不図示）されると共に、スクリーン１２の裏面１２ａに取り付けたボイスコイル（不図示）に入力するための入力信号用のリード線（不図示）が、裏板１５の表面に這うように取り付けられている。そして、各リード線（不図示）の一端は、ボイスコイル（不図示）に接続され、各リード線（不図示）の他端は、入力端子用基板（不図示）に接続されている。
【００２２】
次に、スクリーンスピーカシステム１０の構成について説明する。図３は、スクリーンスピーカシステムの基本ユニット７０を示す図である。
【００２３】
図３に示すように、スクリーンスピーカシステム１０は、１つのユニットとなる直接駆動型のスクリーンスピーカ１１を４台接合することによって構成される。スクリーンスピーカ１１の外形寸法は、幅１６８．０９ｍｍ、高さ８９６．５ｍｍ、奥行き３５ｍｍであり、７５インチサイズの直接駆動型スクリーンスピーカである。なお、スクリーンスピーカ１１の外形寸法は、これに限られるものではなく、他の外形寸法としても良い。
【００２４】
以下、図３において、左下に配置されているスクリーンスピーカ１１をスクリーンスピーカ１１ａ、左上に配置されているスクリーンスピーカ１１をスクリーンスピーカ１１ｂ、右下に配置されているスクリーンスピーカ１１をスクリーンスピーカ１１ｃ、右上に配置されているスクリーンスピーカ１１をスクリーンスピーカ１１ｄとする。スクリーンスピーカ１１ａ〜１１ｄの各側枠１７には、不図示の貫通孔が設けられている。そのため、図３に示すように、上下左右にスクリーンスピーカ１１ａ〜１１ｄを配置させ、隣接する側枠１７の貫通孔（不図示）にボルトを挿通させ、当該ボルトをナットにて締結することにより当該上下左右に配置されたスクリーンスピーカ１１ａ〜１１ｄを固定することができる。以上のようにスクリーンスピーカ１１ａ〜１１ｄを接合することによって、外形寸法が１５０インチとなるスクリーンスピーカシステム１０の基本ユニット７０が完成する。
【００２５】
基本ユニット７０のスクリーン部７３には、スクリーンスピーカ１１ａとスクリーンスピーカ１１ｂの接合部７１ａ、スクリーンスピーカ１１ｃとスクリーンスピーカ１１ｄの接合部７１ｂ、スクリーンスピーカ１１ａとスクリーンスピーカ１１ｃの接合部７１ｃおよびスクリーンスピーカ１１ｂとスクリーンスピーカ１１ｄの接合部７１ｄが形成されている。何らの手段も施さなければ、スクリーン部７３の表面には、当該４箇所の接合部７１ａ，７１ｂ，７１ｃ，７１ｄが、当該スクリーン部７３の中心部から十字状に現れる。また、当該状態における接合部７１ａ，７１ｂ，７１ｃ，７１ｄのそれぞれには、隙間や段差等が発生している。そのため、何らの手段も施さなければ、基本ユニット７０のスクリーン部７３に投射機からの映像を投射した場合、スクリーン部７３には、接合部７１ａ，７１ｂ，７１ｃ，７１ｄ（以下、接合部７１ａ，７１ｂ，７１ｃ，７１ｄをまとめていう場合には単に接合部７１という。）の部分に十字状の黒線が明確に現れる。
【００２６】
したがって、接合部７１に発生した隙間部分や段差部分にパテを充填して、当該パテを充填した部分を研磨材により研磨することによって、接合部７１をスクリーン部７３の面と同一平面としている。その後、スクリーン部７３の表面全体に塗料を均一に塗布すると、スクリーン部７３からは、接合部７１の隙間あるいは段差は、完全に消滅する。そのため、塗装後には、あたかも１枚の大きなスクリーンの如く見えるスクリーン部７３を備えたスクリーンスピーカシステム１０が完成する。
【００２７】
次に、スクリーンスピーカシステム１０における配線の接続ついて説明する。
【００２８】
図４は、スクリーンスピーカシステム１０における配線の構成を示す図である。図４において表記されているＬ，Ｒ，Ｃはそれぞれ左チャンネル、右チャンネルおよび中央チャンネルを意味するものとする。
【００２９】
図４は、スクリーンスピーカシステム１０を基本ユニット７０の裏側から見た状態の配線の構成を示している。スクリーンスピーカシステム１０には、基本ユニット７０に形成された１２個の分割部１４ａを左右および中央の３つに大きく分割された各チャンネルに対応した分割領域となる左チャンネル領域７５、右チャンネル領域７７および中央チャンネル領域７９が形成されている。左チャンネル領域７５、右チャンネル領域７７および中央チャンネル領域７９のそれぞれに配置されている各４つの駆動体５０には、左チャンネル用、右チャンネル用および中央チャンネル用の音声信号と音圧信号（以下、音声信号と音圧信号をまとめて指す場合、単に音響信号という。）がそれぞれプリアンプ８０から出力されている。さらに、左チャンネル領域７５、右チャンネル領域７７および中央チャンネル領域７９のそれぞれは、各領域７５，７７，７９において上段の領域となる左上チャンネル領域７５ａ、右上チャンネル領域７７ａおよび中上チャンネル領域７９ａと、各領域７５，７７，７９において下段の領域となる左下チャンネル領域７５ｂ、右下チャンネル領域７７ｂおよび中下チャンネル領域７９ｂとに分割される。
【００３０】
プリアンプ８０は、図４に示すように、左チャンネルに音響信号を出力する左チャンネル用プリアンプ８０ａと、右チャンネルに音響信号を出力する右チャンネル用プリアンプ８０ｂと、中央チャンネルに音響信号を出力する中央チャンネル用プリアンプ８０ｃと、を有している。プリアンプ８０は、音質を調整するトーン・コントロール、音量制御を行うボリューム・コンロール、左右の音量バランスを調整するバランス・コントロール、入力ソースの切り替え選択を行い、希望する音響信号を選択するセレクタなどの機能を備えている。左チャンネル用プリアンプ８０ａ、右チャンネル用プリアンプ８０ｂおよび中央チャンネル用プリアンプ８０ｃのそれぞれには、すでに信号処理がなされた音響信号が入力される。
【００３１】
また、スクリーンスピーカシステム１０には、６つのパワーアンプ８５ａ，８５ｂ，８６ａ，８６ｂ，８７ａ，８７ｂが配置されている。パワーアンプ８５ａ，８５ｂ，８６ａ，８６ｂ，８７ａ，８７ｂのそれぞれには、出力を変化させるための出力ボリューム８８が設けられている。そのため、パワーアンプ８５ａ，８５ｂ，８６ａ，８６ｂ，８７ａ，８７ｂのそれぞれに入力される信号を出力ボリューム８８によって、それぞれ異なった増幅率で増幅できる。
【００３２】
左チャンネル用プリアンプ８０ａの出力側とパワーアンプ８５ａ，８５ｂの入力側、右チャンネル用プリアンプ８０ｂの出力側とパワーアンプ８６ａ，８６ｂの入力側および中央チャンネル用プリアンプ８０ｃの出力側とパワーアンプ８７ａ，８７ｂの入力側とは、それぞれ配線９０，９１，９２によって接続されている。具体的には、左チャンネル用プリアンプ８０ａの出力側に接続される配線９０は、分岐点Ａで２つの配線に分岐され、分岐された配線の一方は、パワーアンプ８５ａの入力側に接続されている。また、分岐された他方の配線は、パワーアンプ８５ｂの入力側に接続されている。同様に、右チャンネル用プリアンプ８０ｂの出力側に接続される配線９１は、分岐点Ｂで２つの配線に分岐され、分岐された配線の一方は、パワーアンプ８６ａの入力側に、分岐された他方の配線は、パワーアンプ８６ｂの入力側に接続されている。さらに、中央チャンネル用プリアンプ８０ｃの出力側に接続される配線９２は、分岐点Ｃで２つの配線に分岐され、分岐された配線の一方は、パワーアンプ８７ａの入力側に、分岐された他方の配線は、パワーアンプ８７ｂの入力側に接続されている。
【００３３】
また、パワーアンプ８５ａの出力側と左上チャンネル領域７５ａに配置されている２つの駆動体５０は、配線９３によって接続されている。さらに、パワーアンプ８５ｂの出力側と左下チャンネル領域７５ｂに配置されている２つの駆動体５０は、配線９４よって接続されている。同様に、パワーアンプ８６ａの出力側と右上チャンネル領域７７ａに配置されている２つの駆動体５０は、配線９５によって接続されると共に、パワーアンプ８６ｂの出力側と右下チャンネル領域７７ｂに配置されている２つの駆動体５０は、配線９６よって接続されている。また、同様に、パワーアンプ８７ａの出力側と中上チャンネル領域７９ａに配置されている２つの駆動体５０は、配線９７によって接続されると共に、パワーアンプ８７ｂの出力側と中下チャンネル領域７９ｂに配置されている２つの駆動体５０は、配線９８よって接続されている。
【００３４】
具体的には、パワーアンプ８５ａの出力側に接続される配線９３は、分岐点Ｄで２つの配線に分岐され、左上チャンネル領域７５ａに配置されている２つの駆動体５０に接続されている。また、パワーアンプ８５ｂの出力側に接続される配線９４は、分岐点Ｅで２つの配線に分岐され、左下チャンネル領域７５ｂに配置されている２つの駆動体５０に接続されている。右チャンネルおよび中央チャンネルの場合も同様に、プリアンプ８６ａ，８６ｂ，８７ａ，８７ｂのそれぞれの出力側に接続されている配線９５，９６，９７，９８は、分岐点Ｆ，Ｇ，Ｈ，Ｉでそれぞれ２つの配線に分岐され、それぞれの分岐点Ｆ，Ｇ，Ｈ，Ｉで分岐された配線は、右上チャンネル領域７７ａ、右下チャンネル領域７７ｂ、中上チャンネル領域７９ａおよび中下チャンネル領域７９ｂのそれぞれに配置されている２つの駆動体５０に接続されている。
【００３５】
図５は、スクリーンスピーカシステム１０においてボリューム調整を行った後の状況を示す図である。図５において表記されているＬ，Ｒ，Ｃは、それぞれ左チャンネル、右チャンネルおよび中央チャンネルを意味するものとする。
【００３６】
パワーアンプ８５ａ，８５ｂ，８６ａ，８６ｂ，８７ａ，８７ｂの増幅率は、出力ボリューム８８によって、それぞれの基準値に対する適した値に設定されている。そのため、当該パワーアンプ８５ａ，８５ｂ，８６ａ，８６ｂ，８７ａ，８７ｂから出力された信号によって、各駆動体５０は、視聴者にバランス良い音声を提供するように駆動する。
【００３７】
次に、プリアンプ８０に入力された信号伝達の経緯について説明する。
【００３８】
予め信号処理された音響信号が左チャンネル用プリアンプ８０ａ、右チャンネル用プリアンプ８０ｂおよび中央チャンネル用プリアンプ８０ｃのそれぞれに入力されると、各プリアンプ８０ａ，８０ｂ，８０ｃにおいてコントロールまたはセレクト等された音響信号が、各プリアンプ８０ａ，８０ｂ，８０ｃから出力される。
【００３９】
左チャンネル用プリアンプ８０ａから出力された音響信号は、配線９０の分岐点Ａで分岐され、パワーアンプ８５ａおよびパワーアンプ８５ｂのそれぞれに入力される。そして、パワーアンプ８５ａおよびパワーアンプ８５ｂのそれぞれに入力された音圧信号は、各パワーアンプ８５ａ，８５ｂに設けられた出力ボリューム８８によってそれぞれ適切な音圧レベルに増幅される。その後、パワーアンプ８５ａから出力される音響信号は、配線９３の分岐点Ｄで分岐され、左上チャンネル領域７５ａに配置される２つの駆動体５０のそれぞれに入力される。そして、それらの音響信号に基づいて当該２つの駆動体５０が駆動する。一方、パワーアンプ８５ｂから出力される音響信号は、配線９４の分岐点Ｅで分岐され、左下チャンネル領域７５ｂに配置される２つの駆動体５０のそれぞれに入力される。そして、それらの音響信号に基づいて当該２つの駆動体５０が駆動する。
【００４０】
また、右チャンネル用プリアンプ８０ｂから出力された音響信号は、配線９１の分岐点Ｂで分岐され、パワーアンプ８６ａおよびパワーアンプ８６ｂのそれぞれに入力される。そして、パワーアンプ８６ａおよびパワーアンプ８６ｂのそれぞれに入力された音圧信号は、各パワーアンプ８６ａ，８６ｂに設けられた出力ボリューム８８によってそれぞれ適切な音圧レベルに増幅される。その後、パワーアンプ８６ａから出力される信号は、配線９５の分岐点Ｆで分岐され、右上チャンネル領域７７ａに配置される２つの駆動体５０のそれぞれに入力される。そして、それらの音響信号に基づいて当該２つの駆動体５０が駆動する。一方、パワーアンプ８６ｂから出力される音響信号は、配線９６の分岐点Ｇで分岐され、右下チャンネル領域７７ｂに配置される２つの駆動体５０のそれぞれに入力される。そして、それらの音響信号に基づいて当該２つの駆動体５０が駆動する。
【００４１】
さらに、中央チャンネル用プリアンプ８０ｃから出力された音響信号は、配線９２の分岐点Ｃで分岐され、パワーアンプ８７ａおよびパワーアンプ８７ｂのそれぞれに入力される。そして、パワーアンプ８７ａおよびパワーアンプ８７ｂのそれぞれに入力された音圧信号は、各パワーアンプ８７ａ，８７ｂに設けられた出力ボリューム８８によってそれぞれ適切な音圧レベルに増幅される。その後、パワーアンプ８７ａから出力される音響信号は、配線９７の分岐点Ｈで分岐され、中上チャンネル領域７９ａに配置される２つの駆動体５０のそれぞれに入力される。そして、それらの音響信号に基づいて当該２つの駆動体５０が駆動する。一方、パワーアンプ８７ｂから出力される音響信号は、配線９８の分岐点Ｉで分岐され、中下チャンネル領域７９ｂに配置される２つの駆動体５０のそれぞれに入力される。そして、それらの音響信号に基づいて当該２つの駆動体５０が駆動する。
【００４２】
以上のようにして構成されたスクリーンスピーカシステム１０では、左上チャンネル領域７５ａ、左下チャンネル領域７５ｂ、右上チャンネル領域７７ａ、右下チャンネル領域７７ｂ、中上チャンネル領域７９ａおよび中下チャンネル領域７７ｂのそれぞれに配置されている２つの駆動体５０を１つの単位として異なる音圧レベルで駆動させることができる。したがって、基本ユニット７０の縦方向と横方向の両方向において異なる音圧分布を得ることができる。そのため、例えば、スクリーン部７３における下方側の各チャンネル領域７５ｂ，７７ｂ，７９ｂの音圧レベルが大きい場合、上方側の各チャンネル領域７５ａ，７７ａ，７９ａに対応するパワーアンプ８５ａ，８６ａ，８７ａの出力ボリューム８８を基準値より大きくすると共に、下方側の各チャンネル領域７５ｂ，７７ｂ，７９ｂに対応するパワーアンプ８５ｂ，８６ｂ，８７ｂの出力ボリューム８８によって、出力を基準値より小さくすることにより、スクリーン部７３からの音圧レベルを低くできる。したがって、スクリーン部７３から視聴者に到達する音声のバランスはより良好なものになる。
【００４３】
また、スクリーンスピーカシステム１０では、プリアンプ８０から各チャンネル毎に出力された信号を、分岐点Ａ，Ｂ，Ｃで分岐した後に、各パワーアンプ８５ａ，８５ｂ，８６ａ，８６ｂ，８７ａ，８７ｂに設けられた出力ボリューム８８によって音圧レベルを調整している。このため、音圧調整を容易に行うことが可能となる。したがって、スクリーンスピーカシステム１０が配置される室内の環境が変化した場合でも、迅速かつ簡便に音圧レベルの調整を行うことができる。
【００４４】
以上、本発明の一実施の形態について説明したが、本発明は上述の形態に限定されることなく、種々変形した形態にて実施可能である。
【００４５】
上述の実施の形態では、音響信号がプリアンプ８０によって各チャンネル用に出力された後、当該音響信号の音圧レベルをパワーアンプ８５ａ，８５ｂ，８６ａ，８６ｂ，８７ａ，８７ｂに設けられた出力ボリューム８８を用いて調整しているが、これに限定されない。プリアンプ８０内に出力ボリューム８８を設け、パワーアンプ８５ａ，８５ｂ，８６ａ，８６ｂ，８７ａ，８７ｂよりも上流側にて音響信号の音圧レベルの調整を行った後、各駆動体５０に該音響信号を出力するようにしても良い。
【００４６】
また、上述の実施の形態では、出力ボリューム８８を個別に調整するような構成となっているが、これに限定されることなく、上方側の各チャンネル領域７５ａ，７７ａ，７９ａおよび下方側の各チャンネル領域７５ｂ，７７ｂ，７９ｂのそれぞれに配置されている各６つの駆動体５０を、同じ出力に調整できるような構成を採用しても良い。
【００４７】
また、上述の実施の形態では、パワーアンプ８５ａ，８５ｂ，８６ａ，８６ｂ，８７ａ，８７ｂは６つ設けられているが、これに限定されることはない。例えば、パワーアンプを４つ設けるようにして、それぞれのパワーアンプで３つの駆動体５０の音圧レベルを調整するようにしても良い。また、各駆動体５０に対して１つずつのパワーアンプを設けるようにしても良い。
【００４８】
また、上述の各実施の形態では、４つのスクリーンスピーカ１１を接合することによりスクリーンスピーカシステム１０が構成されているが、これに限られることなく、スクリーンスピーカ１１の数を５つ以上としても良いし、３つ以下としても良い。また、スクリーンスピーカ１１の大きさを７５インチに限ることなく、さらに大きくしても、さらに小さくしても良い。また、異なる大きさのスクリーンスピーカ１１を複数組み合わせてスクリーンスピーカシステム１０を構成するようにしても良い。
【００４９】
また、上述の各実施の形態では、チャンネルの数を左チャンネル、右チャンネルおよび中央チャンネルの３つとしているが、これに限ることなく、２つ以下としても良いし、４つ以上としても良い。
【００５０】
また、上述の各実施の形態では、分割部１４ａは、筐体１４の内部に３つ設けられているが、これに限られることなく、２つあるいは、４つ以上としても良い。さらには分割しなくても良い。また、中桟１８を側枠１７の短手方向および長手方向に複数配置させ、中桟１８のみによって囲まれた部分を分割部１４ａとするようにしても良い。それに伴い、スクリーンスピーカシステム１０に配置される駆動体５０の数を１３個以上としても良いし、１１個以下としても良い。
【産業上の利用可能性】
【００５１】
本発明のスクリーンスピーカは、スクリーンの全面より音を放出するスピーカ等の音響変換装置において利用することができる。
【図面の簡単な説明】
【００５２】
【図１】本発明の一実施の形態に係るスクリーンスピーカの構成を示す斜視図である。
【図２】本発明の一実施の形態に係るスクリーンスピーカからスクリーンを取り除いた状態を示す斜視図である。
【図３】本発明の一実施の形態に係るスクリーンスピーカシステムの基本ユニットの構成を示す図である。
【図４】本発明の一実施の形態に係るスクリーンスピーカシステムにおける配線の構成を示す図である。
【図５】本発明の一実施の形態に係るスクリーンスピーカシステムにおいてボリューム調整を行った状況を示す図である。
【符号の説明】
【００５３】
１０…スクリーンスピーカシステム
１２…スクリーン
５０…駆動体
８０…プリアンプ
８５ａ，８５ｂ，８６ａ，８６ｂ，８７ａ，８７ｂ…パワーアンプ
８８…出力ボリューム
【図１】
2007184795.tif 000003
【図２】
2007184795.tif 000004
【図３】
2007184795.tif 000005
【図４】
2007184795.tif 000006
【図５】
2007184795.tif 000007